(57)【要約】【課題】      地面に横置きにした状態で釣り竿を取り出したり、立て掛けた釣り竿ケースが倒れて横置きになったときに開口部から釣り竿が脱落すること。【解決手段】  釣り竿ケース１は、内部に釣り竿収納部８を有する長尺のケース本体２の長手方向に釣り竿を出し入れするための開口部６がケース本体２の上端側から下端側にかけて形成され、開口部６に沿ってチャック５が設けられスライダー７を操作して開口部６が開閉可能になっている。開口部６の下端側には、開口部６を覆うシート状のカバー体９が、取り付けられ開口部６を全開したときに開口部６の下端側を閉塞するようになっている。【選択図】        図２
2008054549.tif 000002
【特許請求の範囲】
【請求項１】
内部に釣り竿収納部を有するケース本体に釣り竿を出し入れする開口部を設け、前記開口部の下端側に前記開口部からの釣り竿の脱落を防止するカバー体が設けられていることを特徴とする釣り竿ケース。
【請求項２】
カバー体は、ケース本体の釣り竿収納部側に突出するように曲がっていることを特徴とする請求項１記載の釣り竿ケース。
【請求項３】
カバー体は少なくともその一端側が着脱可能に形成されていることを特徴とする請求項１または２記載の釣り竿ケース。
【発明の詳細な説明】
【技術分野】
【０００１】
本発明は、釣り竿を収納する釣り竿ケースに関する。
【背景技術】
【０００２】
従来から釣り場まで釣り竿を運ぶために釣り竿ケースが用いられている。多くの釣り竿ケースは釣り竿を収納する長尺のケース本体を有し、その長手方向に沿って釣り竿を出し入れするための開口部を有している。
【０００３】
しかし、このような釣り竿ケースは、開口部がケース本体の上端側から下端側にかけて形成されているため釣り竿の取り出しは容易であるが、釣り竿ケースを地面に横置きにした状態で釣り竿を取り出したり、立て掛けておいた釣り竿ケースが倒れたときに開口部から釣り竿が転がり出てしまう虞があった。
【特許文献１】登録実用新公報第３０２９０３５号
【発明の開示】
【発明が解決しようとする課題】
【０００４】
解決しようとする課題は、ケース本体の長手方向に開口部を形成した釣り竿ケースは、地面に横置きにした状態で釣り竿を取り出したり、立て掛けた釣り竿ケースが倒れたときに開口部から釣り竿が脱落しやすいことである。
【０００５】
本発明の目的は前記欠点に鑑み、地面に横置きにした状態で釣り竿を取り出したり、立て掛けた釣り竿ケースが倒れて横置きになったときに開口部から釣り竿が脱落することを防止することである。
【課題を解決するための手段】
【０００６】
上記課題を解決するために、
請求項１に係わる本発明は、内部に釣り竿収納部を有するケース本体に釣り竿を出し入れする開口部を設け、前記開口部の下端側に前記開口部からの釣り竿の脱落を防止するカバー体が設けられていることを要旨とするものである。
請求項２に係わる本発明は、カバー体は、ケース本体の釣り竿収納部側に突出するように曲がっていることを要旨とするものである。
請求項３に係わる本発明は、カバー体は少なくともその一端側が着脱可能に形成されていることを要旨とするものである。
【発明の効果】
【０００７】
本発明の各請求項によると、地面に横置きにした状態で釣り竿を取り出したり、立て掛けた釣り竿ケースが倒れたときに開口部から釣り竿が脱落することが防止できる。
【発明を実施するための最良の形態】
【０００８】
以下、本発明の実施形態を図面に基づき説明すると、図１から図４は本発明の実施例で、図１は釣り竿ケースの全体図、図２は開口部を開いた釣り竿ケースの全体図、図３は釣り竿ケースの拡大断面図、図４は開口部を開いた竿ケースの拡大断面図である。
【０００９】
図１から図４によると、釣り竿ケース１は、内部に釣り竿収納部８を有する長尺のケース本体２の長手方向に釣り竿を出し入れするための開口部６が形成されている。
また、ケース本体２の外側にその長手方向に延びるショルダーベルト４を有し、このショルダーベルト４にて釣り竿ケース１を肩に掛けて携帯できるようになっている。
【００１０】
ケース本体２は合成樹脂シートからなる保形材２ｂの内面と外面に合成樹脂織布の化粧材２ａ、２ｃが貼着されて形成された可撓性を有する外装体Ｇを有し、この外装体Ｇは筒状に形成されてその内部に釣り竿収納部８が形成され、ケース本体２の下端側に合成樹脂で形成された皿状の底部３が取り付けられ収納した釣り竿Ｔの下端を保持する受け部となっている。
【００１１】
ケース本体２の長手方向に延びる開口部６はケース本体２の上端側から下端側にかけて形成され、開口部６に沿ってチャック５が設けられスライダー７を操作して開口部６が開閉可能になっている。
【００１２】
なお、開口部６は、スライダー７を上端側に移動させると閉じ、ケース本体２の下端側に移動させると開くようになっており、開口部６を開いた後、開口部６をケース本体２の外装体Ｇの可撓性を利用して手で大きく広げることができ、このようにすると釣り竿Ｔの出し入れが容易になる。
また、開口部６は外装体Ｇに切開状に形成されているがケース本体２の上端側から底部３に達するように形成され、大きく開口して簡単に釣り竿の出し入れが出来る。
【００１３】
開口部６の下端側（底部３側）には、開口部６の内側に開口部６を内側から覆うシート状のカバー体９が、その左右側がそれぞれケース本体２の開口部６の内側の左右側に取り付けられており、開口部６を全開したときに（下端側まで開いたときに）、開口部６の下端側を閉塞するようになっている。
なお、本願のカバー体９は、開口部６の左右側及び下側に取り付けられて開口部６の下端側を覆っているが、帯状に形成して開口部６の左右側のみに取り付けて開口部６の下端側（底部３側）が開口していてもよい。
【００１４】
カバー体９は、網状体のシートからなっており、柔軟性を有し、その中央側にケース本体２の内側（釣り竿収納部８側）に突出する山折りに曲がった折曲部９ｃを有し、折曲部９ｃは癖付けされた折り目が形成され、図３のように開口部６が閉じているときはカバー体９が折り畳まれた状態となり、図４のように開口部６が開かれるとカバー体９も折曲部９ｃが延ばされ広がった状態となって開口部６の下端側を閉塞する。
なお、折曲部９ｃは、角を有するように鋭角に曲がっていても緩やかに湾曲状に曲がっていてもよい。
また、開口部６が閉じているときは、カバー体９が折曲部９ｃで折り畳まれた状態で釣り竿収納部８に突出し釣り竿収納部８の仕切体を形成し、収納した釣り竿Ｔの間に介在して仕切られた状態で釣り竿Ｔが整理され、釣り竿Ｔ同士の衝突による破損が防止できる。
【００１５】
カバー体９は、その一側に面ファスナからなる止着具９ａを有し、ケース本体２の開口部６の一側に設けた面ファスナからなる止着具２ｄに着脱自在に係合されている。
カバー体９は、その止着具９ａを止着具２ｄから取り外すことで開口部６の下端側の閉塞状態を解除することができ、この時、図３のようにカバー体９の一端側を中心に他端側を矢印のように動かして二点鎖線で示したようにカバー体９の止着具９ａの対向側に設けた止着具９ｂをケース本体２の開口部６の対向側の内側（釣り竿収納部８内）に設けた面ファスナからなる止着具２ｅに係合するとケース本体２の内側に沿って配することができ、釣り竿収納部８を広くして収納するスペースを広げ、収納性を向上できる。
なお、カバー体は、ケース本体２の開口部６の下端側に設けることで釣り竿Ｔの出し入れを容易にしながら、釣り竿Ｔが開口部６から不用意に転がり出てしまうことが防止されている。
【００１６】
本願の釣り竿ケース１が使用されるときは、釣り竿収納部８内に釣り竿Ｔを収納して釣り場まで運搬する。
釣り竿ケース１は釣り場の堤防や岩などに立て掛けて縦方向に置くか、地面に寝かせて横方向に置かれ、この状態でチャック５のスライダー７を操作しケース本体２の開口部６を開いて釣り竿Ｔを取り出す。
【００１７】
この時、カバー体９が設けられているため開口部６を開くと同時に釣り竿Ｔが転がり出すことが防止される。
また、釣り竿Ｔは、カバー体９がない釣り竿ケース１の開口部６の上端側から釣り竿Ｔの先端側を取り出し、次に開口部６の下端側から釣り竿Ｔの基端側（握持部側）を引き抜くが、ケース本体２の外装体Ｇが可撓性を有しているため収納した釣り竿Ｔの数が少なくなると型がくずれて開口部６が広がったり、立て掛けた状態から倒れてしまい収納した釣り竿Ｔが独りでに転がり出やすくなるが、カバー体９に釣り竿Ｔの基端側（握持部側）が引っかかって釣り竿収納部８に収納した釣り竿Ｔが開口部６から転がり出て脱落することが防止される。
【００１８】
このように、釣り竿ケース１の開口部６を安全に開閉でき、釣り竿Ｔは釣り場にて不用意に開口部６から転がり出て傷付いたり、水中に落としてしまうことが防止される。
【００１９】
なお、カバー体９は、開口部６の下端側だけでなく、上端側に設けても良い。
また、カバー体９は、網状体で形成し濡れたときの乾きを良好にしたが、合成樹脂織布など網状体でないカバー体としても良い。
【産業上の利用可能性】
【００２０】
本発明は、釣り竿ケース全般に利用できる。
【図面の簡単な説明】
【００２１】
【図１】図１は、釣り竿ケースの全体図である。
【図２】図２は、開口部を開いた釣り竿ケースの全体図である。
【図３】図３は、釣り竿ケースの拡大断面図である。
【図４】図４は、開口部を開いた竿ケースの拡大断面図である。
【符号の説明】
【００２２】
１  釣り竿ケース
２  ケース本体
３  底部
４  ショルダーベルト
５  チャック
６  開口部
７  スライダー
８  釣り竿収納部
９  カバー体
Ｇ  外装体
Ｔ  釣り竿
【図１】
2008054549.tif 000003
【図２】
2008054549.tif 000004
【図３】
2008054549.tif 000005
【図４】
2008054549.tif 000006